(57)【要約】【課題】  磁性体をより確実に固定することが可能な遠隔操作装置とその製造方法を提供する。【解決手段】  開閉可能な蓋３で筐体２を覆う遠隔操作装置１において、筐体２に設けた磁石７に対向するように磁性体９を蓋３の成形とともに蓋３に固定したものである。また、磁性体９に貫通孔９ａを設け、貫通孔９ａは、開口９ｃの断面積を貫通孔９ａの内部９ｄの断面積より大きくしたものである。【選択図】  図３
2013211612.tif 000002
【特許請求の範囲】
【請求項１】
開閉可能な蓋で筐体を覆う遠隔操作装置において、前記筐体に設けた磁石に対向するように磁性体を前記蓋の成形とともに前記蓋に固定したことを特徴とする遠隔操作装置。
【請求項２】
前記磁性体に貫通孔を設け、前記貫通孔は、開口の断面積を前記貫通孔の内部の断面積より大きくしたことを特徴とする請求項１に記載の遠隔操作装置。
【請求項３】
開閉可能な蓋で筐体を覆う遠隔操作装置の製造方法において、前記筐体に設けた磁石に対向するように磁性体を前記蓋の成形とともに前記蓋に固定したことを特徴とする遠隔操作装置の製造方法。
【請求項４】
前記蓋を成形する金型に前記磁性体の位置を定める位置決めピンを設け、前記磁性体に前記位置決めピンが貫通する位置決め孔を設けたことを特徴とする請求項３に記載の遠隔操作装置の製造方法。
【発明の詳細な説明】
【技術分野】
【０００１】
本発明は、開閉可能な蓋を備えた遠隔操作装置とその製造方法に関するものである。
【背景技術】
【０００２】
従来の遠隔操作装置は、例えば、特許文献１に開示されるものがある。この遠隔操作装置は、蓋の閉成状態を保持する構造として、前記遠隔操作装置の操作部の近傍に磁石を配置し、また、前記遠隔操作装置の表側筐体のヒンジにより回動可能に取り付けられる蓋は、合成樹脂を射出成形で製造し、その裏側には、前記蓋を閉じた際に前記磁石に対向する位置にプレス加工で製作した板金を嵌め合わせたものである。前記蓋を閉じると、前記操作部は前記蓋により覆われ、前記板金が前記磁石に吸着されることにより、前記蓋を閉じた状態に維持することができるものである。
【先行技術文献】
【特許文献】
【０００３】
【特許文献１】特開２０１１−１６３６７７号公報
【発明の概要】
【発明が解決しようとする課題】
【０００４】
しかしながら、このような遠隔操作装置は、前記扉を繰り返し開閉することによる経時変化により磁性体である板金の脱落が発生するというおそれがあった。
【０００５】
そこで、本発明は、前記問題点に着目し、磁性体をより確実に固定することが可能な遠隔操作装置とその製造方法を提供することを目的とする。
【課題を解決するための手段】
【０００６】
本発明の遠隔操作装置は、筐体の一部を開閉可能な蓋で覆う遠隔操作装置において、前記筐体の前記蓋で覆われる部分に磁石を設け、前記蓋の前記筐体に設けた前記磁石に対向するように磁性体を前記蓋の成形とともに前記蓋に固定したものである。
【０００７】
また、前記磁性体に貫通孔を設け、前記貫通孔は、開口側の断面積が前記開口の内側の断面積より大きくしたものである。
【０００８】
また、本発明の遠隔操作装置の製造方法は、筐体の一部を開閉可能な蓋で覆う遠隔操作装置の製造方法において、前記筐体の前記蓋で覆われる部分に磁石を設け、前記蓋の前記筐体に設けた前記磁石に対向するように磁性体を前記蓋の成形とともに前記蓋に固定したものである。
【０００９】
また、前記蓋を成形する金型に前記磁性体の位置を定める位置決めピンを設け、前記磁性体に前記位置決めピンが貫通する位置決め孔を設けたものである。
【発明の効果】
【００１０】
以上の構成によって、本発明は、所期の目的を達成することができ、磁性体をより確実に固定することが可能な遠隔操作装置とその製造方法を提供することができる。
【図面の簡単な説明】
【００１１】
【図１】本発明の第１実施形態の遠隔操作装置の正面図。
【図２】同実施形態の遠隔操作装置の蓋を開いた状態を示す正面図。
【図３】図２中Ａ−Ａ線の断面図。
【図４】同実施形態の蓋の背面図。
【図５】同実施形態の磁性体を型に設置した状態を示す断面図。
【図６】同実施形態の磁性体と蓋とを成形した状態を示す断面図。
【図７】同実施形態の磁性体の一部断面斜視図。
【発明を実施するための形態】
【００１２】
以下、添付図面を用いて本発明の第１実施形態を説明する。
【００１３】
本発明の遠隔操作装置１は、空気調和機や給湯器などの機器を遠隔操作するものである。
【００１４】
遠隔操作装置１は、筐体２と、蓋３とで構成されている。
【００１５】
筐体２は、合成樹脂からなり、本実施形態では、その内部に収納空間２ａを備えた平板形状である。筐体２は、表示部４と、操作部５とを備えている。なお、６は、基板であり、表示部４や操作部５と電気的に接続した図示しない電子部品などが実装されている。
【００１６】
表示部４は、液晶表示素子などの表示素子で構成されており、遠隔操作装置１が操作する機器の状態を表示するものである。なお、通常は、表示素子４を保護するために、光が透過可能な合成樹脂からなるカバー２ｂで覆われている。
【００１７】
操作部５は、本実施形態では、複数のスイッチで構成されている。これら複数のスイッチは、使用頻度が高いスイッチ５ａと使用頻度の低いスイッチ５ｂで構成されており、使用頻度の低いスイッチ５ｂは、蓋３で覆われており、使用頻度の高いスイッチ５ａは、蓋３で覆われず露出している。
【００１８】
本実施形態では、使用頻度の低いスイッチ５ｂは、表示部４や使用頻度の高いスイッチ５ａに対して、奥に凹んだ凹部２ｃ内に設けられている。この使用頻度の低いスイッチ５ｂを設けた凹部２ｃには、磁石７が設けられている。磁石７の固定は、筐体２に設けた凹部内に嵌め込んでもよいし、磁石７を筐体２の成形時に同時に組み込んで固定するインサート成形によってもよい。なお、８は、合成樹脂からなる銘板であり、スイッチ５ｂの機能を説明する図示しない文字などを印刷したものである。銘板８は、接着剤などによって筐体２に固定されている。磁石７は、銘板８によって覆い隠されている。
【００１９】
蓋３は、合成樹脂からなり、本実施形態では、断面形状がＬ字形状の板体である。蓋３は、筐体２に回転可能に固定されるヒンジ部３ａを蓋体３の両端部に備えており、蓋３は、筐体２に対して開閉可能に設けられるとともに、筐体２の一部を覆うものであり、スイッチ５ｂを覆い隠すものである。
【００２０】
蓋３は、磁性体９を備えている。その表面にメッキを施した金属片であり、筐体２に設けた磁石７と近接することで蓋３が閉じた状態を保持するものである。磁性体９は、蓋３を閉じた状態で、磁石７と対向する位置に設けられている。磁性体９は、蓋３を成形する時に、同時に蓋３に固定されるものである。なお、蓋３に設けた磁性体９は、合成樹脂からなる化粧板１２によって、覆われている。この化粧板１２は、粘着剤によって、蓋３と磁性体９に固定されている。この化粧板１２を設けたことによって、磁性体９を覆うと共に保護している。
【００２１】
磁性体９は、矩形の平板形状で、貫通した孔が４つ設けられている。４つの孔の内、両端の２つは、磁性体９を蓋３に固定するための貫通孔９ａであり、中央部の２つは、位置決め用の位置決め孔９ｂである。
【００２２】
貫通孔９ａは、その孔の形状は、貫通孔９ａの開口９ｃ側の断面積が、貫通孔９ａの内部９ｄの断面積より大きくしたものである。このように構成したことによって、蓋３を成形すると、蓋３を構成する合成樹脂が貫通孔９ａ内を満たし、開口９ｃ側の断面積を内部９ｄの断面積より大きく形成したことによって、抜け止めの作用を果たし、磁性体９が蓋３から脱落することを防止することができる。
【００２３】
位置決め孔９ｂは、その形状は、円柱形状であり、蓋３を成形する後述する金型に設けた磁性体９の位置を定める位置決めピンが貫通するものである。
【００２４】
次に、磁性体９を備えた蓋３を製造する製造方法について説明する。
【００２５】
蓋３を成形する金型は、第１金型１０ａと第２金型１０ｂで構成されている。第１金型１０ａには、磁性体９の位置決め孔９ｂを貫通し、磁性体９を位置決めする位置決めピン１１が設けられている。
【００２６】
第１工程で、第１金型１０ａの位置決めピン１１が磁性体９の位置決め孔９ｂを貫通し、磁性体９を第１金型１０ａに取り付ける。
【００２７】
第２工程で、図５で示すように、第１金型１０ａと第２金型１０ｂを組み合わせて、蓋３を形成する空間を設ける。
【００２８】
第３工程で、図６で示すように、第２工程で形成した金型１０ａ、１０ｂ内の空間内に合成樹脂を射出し、蓋３をインサート成形する。この時に、磁性体９は、蓋３の成形とともに蓋３に固定される。
【００２９】
第４工程で、第１金型１０ａと第２金型１０ｂを分離し、磁性体９を備えた蓋３を金型１０ａ、１０ｂから取り出し蓋３が完成する。なお、本実施形態では、成形後の蓋３には、磁性体９を覆う化粧板１２を固定する。
【００３０】
以上のように構成したことによって、磁性体９をより確実に固定することが可能な遠隔操作装置１とその製造方法を提供することができる。また、経時変化による磁性体９の脱落を防止することができる。
【産業上の利用可能性】
【００３１】
本発明は、開閉可能な蓋を備えた遠隔操作装置に利用可能である。
【符号の説明】
【００３２】
１      遠隔操作装置
２      筐体
３      蓋
７      磁石
９      磁性体
９ａ    貫通孔
９ｂ    位置決め孔
９ｃ    開口
９ｄ    内部
１１      位置決めピン
【図１】
2013211612.tif 000003
【図２】
2013211612.tif 000004
【図３】
2013211612.tif 000005
【図４】
2013211612.tif 000006
【図５】
2013211612.tif 000007
【図６】
2013211612.tif 000008
【図７】
2013211612.tif 000009